(57)【要約】【課題】スラスト針状ころ軸受の保持器の径方向内外部位に、針状ころを案内保持する部分を設けるために、保持器の板面を断面略Ｍ字形に形成するが、長さの短い針状ころを用いる場合は、Ｍ字形に形成するような加工は難しい。【解決手段】針状ころ４の径方向長さが比較的短い場合でも、第一ころ止め片１１および第二ころ止め片１２の相当部分を残すように、一枚の金属板に対して、保持器本体６の周方向等配位置、かつ径方向所定位置に打抜くようにすれば各ポケット７を形成することができるので、各ポケット７の形成が容易であり、第一ころ止め片１１および第二ころ止め片１２は、これら相当部分を折り曲げるだけで容易に形成することができる。【選択図】　図２
2004084797.tif 000002
【特許請求の範囲】
【請求項１】
軸心方向に離隔して配置される軌道面間に、転動自在に配置される複数個のころを、円周方向等配位置に保持するためのころ保持器であって、
環状かつ平板状の保持器本体の円周方等配部位が開口されることで、前記ころを装着するための複数のポケットが形成され、これら各ポケットの周方向で対向する両側面に、前記ころの周面に接触してころの抜止めをするころ止め片が一体的に形成され、
これらころ止め片は、前記ころの一方側半周面上および他方側半周上に接触可能となるよう前記ポケットの両側面に振分けられている、ころ軸受用ころ保持器。
【請求項２】
請求項１記載のころ軸受用ころ保持器であって、
前記ころ止め片は、前記保持器本体に打抜き加工により形成される各ポケットに、その周方向で対向する両側面部に一体に形成されるとともに、各ポケットの両側面から保持器本体の厚み方向に向かうよう折曲げて形成されている、ころ軸受用ころ保持器。
【請求項３】
軸心方向に離隔して対向配置される環状の軌道輪と、これら両軌道輪間に転動自在に配置される複数個の針状ころと、これら針状ころを円周方向等配位置に保持するための保持器とを含むスラスト針状ころ軸受であって、
前記保持器は、環状かつ平板状の保持器本体の円周方等配部位が開口されることで、前記針状ころを装着するための複数のポケットが形成され、これら各ポケットの周方向で対向する両側面に、前記針状ころの周面に接触してころの抜止めをするころ止め片が一体的に形成され、
これらころ止め片は、前記針状ころの一方側半周面上および他方側半周上に接触可能となるよう前記ポケットの両側面に振分けられている、スラスト針状ころ軸受。
【発明の詳細な説明】
【０００１】
【発明の属する技術分野】
本発明は、ころ軸受用ころ保持器およびスラスト針状ころ軸受に関する。
【０００２】
【従来の技術】
一般に、スラスト針状ころ軸受は、アキシャル方向で対向する２枚の平板状軌道輪と、これら両軌道輪の中心から放射状に配置されて両軌道輪間に転動自在に配置される複数個の針状ころと、これら針状ころを円周方向等配位置に保持する保持器とを備える。
【０００３】
図９に示すように、保持器５０は、一枚の金属板から環状に形成されている。またその板面は、プレス加工により断面略Ｍ字形になるよう折曲されている。そして板面の円周方向等配位置に、針状ころ５２を装着するための複数個のポケット５１が、打抜き加工により形成されている。
【０００４】
このように、断面略Ｍ字形部分を打抜いてポケット５１を形成することで、保持器５０の柱部に、保持器５０の厚み方向内外部位で、針状ころ５２を案内するとともにその姿勢を保持する部分が形成されることになる。
【０００５】
そして、保持器５０に形成したＭ字形部分にポケット５１を打抜き加工する際に、ころ止めが、柱部に同時に形成される。
【０００６】
【発明が解決しようとする課題】
上記従来のスラスト針状ころ軸受の保持器５０では、針状ころ５２を案内保持する部分を設けるために、保持器５０におけるポケット５１間の柱部の板面を断面略Ｍ字形に形成している。しかし、長さの短い針状ころ５２を用いる場合は特に、断面略Ｍ字形に形成するような加工は難しくなる。
【０００７】
【課題を解決するための手段】
本発明におけるころ軸受用ころ保持器は、環状かつ平板状の保持器本体の円周方等配部位が開口されることで、前記ころを装着するための複数のポケットが形成され、これら各ポケットの周方向で対向する両側面に、前記ころの周面に接触してころの抜止めをするころ止め片が一体的に形成され、これらころ止め片は、前記ころの一方側半周面上および他方側半周上に接触可能となるよう前記ポケットの両側面に振分けられ、軸心方向に離隔して配置される軌道面間に、転動自在に配置される複数個のころを、円周方向等配位置に保持する。
【０００８】
上記構成のように、保持器本体を平板状に形成して保持器本体の円周方等配部位にポケットを形成し、ころ止め片をポケットの周方向で対向する両側面に振分けて形成した構成によれば、保持器本体を複雑な形状に加工する必要がないため、その製造が容易になり、かつころ止め片によって、例えば針状ころの外周面が確実に周方向に案内される。
【０００９】
また、前記ころ止め片は、前記保持器本体に打抜き加工により形成される各ポケットに、その周方向で対向する両側面部に一体に形成されるとともに、各ポケットの両側面から保持器本体の厚み方向に向かうよう折曲げて形成されている。
【００１０】
上記構成のように、ころ止め片は、ポケットの打抜き形成時に各ポケットの両側面から保持器本体の厚み方向に向かうよう折曲げるだけで容易に形成され、その傾斜角度も容易に設定可能である。
【００１１】
また、本発明のスラスト針状ころ軸受は、軸心方向に離隔して対向配置される環状の軌道輪と、これら両軌道輪間に転動自在に配置される複数個の針状ころと、これら針状ころを円周方向等配位置に保持するための保持器とを含み、前記保持器は、環状かつ平板状の保持器本体の円周方等配部位が開口されることで、前記針状ころを装着するための複数のポケットが形成され、これら各ポケットの周方向で対向する両側面に、前記針状ころの周面に接触してころの抜止めをするころ止め片が一体的に形成され、これらころ止め片は、前記針状ころの一方側半周面上および他方側半周上に接触可能となるよう前記ポケットの両側面に振分けられている。
【００１２】
【発明の実施の形態】
以下、本発明の実施形態に係るころ軸受用ころ保持器およびスラスト針状ころ軸受を、図面に基づいて説明する。
【００１３】
図１はスラスト針状ころ軸受の全体構成を示す断面図、図２は図１における拡大半断面図、図３は要部部分拡大断面図、図４は保持器の単体拡大斜視図、図５は要部部分拡大斜視図、図６は保持器本体にポケットを打抜いた状態の部分拡大図である。
【００１４】
図１ないし図３に示すように、本発明の実施形態に係る針状ころ軸受１は、軸心方向に離隔して対向配置される環状の軌道輪（軌道盤）２，３と、これら両軌道輪２，３間に転動自在に配置される複数個の針状ころ４と、これら針状ころ４を円周方向等配位置に保持するための金属製の保持器５とを有する。
【００１５】
両軌道輪２，３の対向面に、それぞれ針状ころ４の軌道面が形成されている。なお、軌道輪２，３は、不図示の回転軸に取付けられる回転輪と、ハウジングに取付けられる固定輪とからなる。
【００１６】
前記保持器５は、環状かつ平板状に形成された保持器本体６と、この保持器本体６の円周方等配部位に開口された複数のころ保持用ポケット（以下単にポケットという）７とを備える。保持器本体６の中心穴の径は、両軌道輪の中心穴の径よりもわずかに大きく形成されている。各ポケット７それぞれに、針状ころ４が装着されている。これら各ポケット７の径方向長さは、針状ころ４の長さに比べてわずかに長く形成されている。
【００１７】
各ポケット７の、周方向で対向する両側面に、針状ころ４の周面に接触して針状ころ４の抜止めをするころ止め片８が一体的に形成されている。これらころ止め片８は、針状ころ４の一方側半周面（例えば下側半周面）９上および他方側半周面（例えば上側半周面）１０上にそれぞれ接触可能となるよう、各ポケット７の両側面に振分けられている。
【００１８】
すなわち、図４ないし図６に示すように、各ポケット７の両側面のうち、針状ころ４の転動方向一方Ａには、その径方向両側部位に、針状ころ４の一方側半周面９上に接触可能な第一ころ止め片１１が、保持器本体６の厚み方向（軸心方向）に沿うように、保持器本体６に対して一体的に折り曲げて形成されている。
【００１９】
これら第一ころ止め片１１の間に、針状ころ４の他方側半周面１０上に接触可能な第二ころ止め片１２が、保持器本体６に対して一体的に折り曲げて形成されている。
【００２０】
また、各ポケット７の両側面のうち、針状ころ４の転動方向他方Ｂには、その径方向両側部位に、針状ころ４の他方側半周面１０上に接触可能な第二ころ止め片１２が、保持器本体６の厚み方向に沿うように、保持器本体６に対して一体的に折り曲げられて形成されている。
【００２１】
これら第二ころ止め片１２の間に、針状ころ４の一方側半周面９上に接触可能な第一ころ止め片１１が、保持器本体６に対して一体的に折り曲げて形成されている。
【００２２】
これら第一ころ止め片１１，第二ころ止め片１２のそれぞれの折り曲げ角度は、例えば、針状ころ４に接した状態で、第一ころ止め片１１，第二ころ止め片１２のころ案内面が針状ころ４の接線方向に沿う角度である。
【００２３】
上記構成において、保持器５は、一枚の金属板から形成されるもので、各ポケット７を、保持器本体６の周方向等配位置、かつ径方向所定位置に打抜くことにより形成される。このとき、各ポケット７の両側面に、第一ころ止め片１１および第二ころ止め片１２の相当部分１１ａ，１２ａを残すように加工する。その後、第一ころ止め片１１および第二ころ止め片１２の相当部分１１ａ，１２ａを、それぞれ所定の傾斜を有するように各ポケット７の両側面から軸心方向に沿う方向に向けて起こす。
【００２４】
そして、各ポケット７に対して針状ころ４を、保持器本体６の厚み方向一方側あるいは他方側から、第一ころ止め片１１あるいは第二ころ止め片１２の弾性に抗して嵌め込む。そして各ポケット７に嵌め込まれた針状ころ４は、第一ころ止め片１１および第二ころ止め片１２によって保持器５から、その厚み方向に脱落するのが防止される。
【００２５】
このように、保持器５に針状ころ４を装着した組品を、内輪および外輪で挟んで使用する。そして、軌道輪のうち内輪が軸心回りに回転すると、内輪の回転方向に応じて針状ころ４の一方側半周面９上に、第一ころ止め片１１が接触し、他方側半周面１０上に第二ころ止め片１２が接触して、針状ころ４を周方向、すなわち転動方向に案内し、針状ころ４は、軌道面を転動する。
【００２６】
そして、長さが比較的短い針状ころ４を使用する場合でも、従来では保持器５の板面は、プレス加工により、保持器本体６の柱部が断面略Ｍ字形になるよう折曲しており、この加工は難しかった。
【００２７】
しかし、本発明の実施形態の場合、第一ころ止め片１１および第二ころ止め片１２の相当部分１１ａ，１２ａを残すように、一枚の平板状金属板に対して、保持器本体６の周方向等配位置、かつ径方向所定位置に打抜くように各ポケット７を形成するものであり、保持器本体６の柱部を断面略Ｍ字形にするような加工は行わない。そして、各ポケット７を形成する際に残した第一ころ止め片１１および第二ころ止め片１２の相当部分１１ａ，１２ａを折り曲げるだけで、第一ころ止め片１１および第二ころ止め片１２を形成することができるので、保持器５の製造を容易に行い得る。
【００２８】
加えて、断面略Ｍ字形になるような難しいプレス加工を省略して、単なる平板状の保持器本体６に打抜き加工により各ポケット７を形成するので、各ポケット７を形成する径方向位置の自由度が増す。
【００２９】
また従来では、保持器５の板面は、プレス加工により柱部の断面が略Ｍ字形になるよう折曲していたため、潤滑剤の流れが径方向で遮られ易く、従って潤滑性能が低下し易かった。これに対し本発明の実施形態によれば、平板状の金属板を打抜いてポケット７を形成し、第一ころ止め片１１および第二ころ止め片１２を折り曲げるだけなので、潤滑剤の流れを遮る部分が少なく、従って針状ころ４のに対する潤滑性が向上する。
【００３０】
本発明はこれに限定されるものではなく、針状ころ４の一方側半周面９上に接触可能な第一ころ止め片１１、針状ころ４の他方側半周面上１０に接触可能な第二ころ止め片１２は、針状ころ４の一方側半周面上９、針状ころ４の他方側半周面１０上に接触可能なようにバランスよく配置されるものであればよい。
【００３１】
図７に示す実施形態では、各ポケット７の、一方の側面の径方向両側部位に、針状ころ４の他方側半周面１０上に接触可能な第二ころ止め片１２を一体的に形成し、これら第二ころ止め片１２の間に、針状ころ４の一方側半周面９上に接触可能な第一ころ止め片１１を一体的に形成した構成とした。
【００３２】
また、各ポケット７の、他方の側面の径方向両側部位に、針状ころ４の他方側半周面１０上に接触可能な第二ころ止め片１２を一体的に形成し、これら第二ころ止め片１２の間に、針状ころ４の一方側半周面９上に接触可能な第一ころ止め片１１を一体的に形成した構成とした。
【００３３】
図８に示す実施形態では、各ポケット７の、一方の側面の径方向両側部位に、針状ころ４の他方側半周面１０上に接触可能な第二ころ止め片１２を一体的に形成し、これら第二ころ止め片１２の間に、針状ころ４の一方側半周面９上に接触可能な第一ころ止め片１１を一体的に形成した構成とした。
【００３４】
また、各ポケット７の他方の側面の径方向両側部位に、針状ころ４の一方側半周面９上に接触可能な第一ころ止め片１１を一体的に形成し、これら第一ころ止め片１１の間に、針状ころ４の他方側半周面１０上に接触可能な第二ころ止め片１２を一体的に形成した構成とした。これら各実施形態においても、上記実施形態と同様の作用効果を奏し得る。
【００３５】
【発明の効果】
以上の説明から明らかな通り、本発明によれば、針状ころの軸方向長さに応じた長さのポケットを有する保持器を安価かつ容易に製造することができる。
【図面の簡単な説明】
【図１】本発明の実施形態を示すスラスト針状ころ軸受の全体構成を示す断面図である。
【図２】同じく図１における拡大半断面図である。
【図３】同じく部分拡大断面図
【図４】同じく保持器の単体拡大斜視図である。
【図５】同じく部分拡大斜視図である。
【図６】同じくポケットを打抜いた状態の部分拡大図である。
【図７】他の実施形態を示す保持器の部分拡大斜視図である。
【図８】さらに他の実施形態を示す保持器の部分拡大斜視図である。
【図９】従来の保持器の拡大判断面図である。
【符号の説明】
１　　　針状ころ軸受
４　　　針状ころ
５　　　保持器
６　　　保持器本体
７　　　ポケット
８　　　ころ止め片
９　　　一方側半周面
１０　　他方側半周面
１１　　第一ころ止め片
１２　　第二ころ止め片
【図１】
2004084797.tif 000003
【図２】
2004084797.tif 000004
【図３】
2004084797.tif 000005
【図４】
2004084797.tif 000006
【図５】
2004084797.tif 000007
【図６】
2004084797.tif 000008
【図７】
2004084797.tif 000009
【図８】
2004084797.tif 000010
【図９】
2004084797.tif 000011